(57)【要約】【課題】表示セルで発生した静電気によるドライバ及び回路基板の誤動作および損傷を防ぐ機構を有する画像表示装置を提供することを目的とする。【解決手段】表示領域１０１及び表示領域１０１を囲む額縁部１０４が設けられた表示セル１００と、表示領域１０１に配置された駆動配線に接続され、表示領域１０１を駆動するドライバ３１０と、ドライバ３１０を制御する制御回路を搭載し、表示セル１００の一辺に沿って配置された回路基板３３０と、ドライバ３１０及び回路基板３３０を覆い、表示セル１００に一端が固定された絶縁性の保護シート４１０と、保護シート４１０上でドライバ３１０と表示領域１０１との間に少なくとも一端辺が配置されたテープ状の導電体５１０と、を備え、表示セルに発生する静電気を、導電体５１０を介して接地電位点に放電させる。【選択図】      図１
2010164946.tif 000002
【特許請求の範囲】
【請求項１】
表示領域及び前記表示領域を囲む額縁部が設けられた表示セルと、
前記表示領域に配置された駆動配線に接続され、前記表示領域を駆動するドライバと、
前記ドライバを制御する制御回路を搭載し、前記表示セルの一辺に沿って配置された回路基板と、
前記ドライバ及び前記回路基板を覆い、前記表示セルに一端が固定された絶縁性の保護シートと、
前記保護シート上で前記ドライバと前記表示領域との間に少なくとも一端辺が配置されたテープ状の導電体と、
を備え、
前記表示セルに発生する静電気を、前記導電体を介して接地電位点に放電させることを特徴とする画像表示装置。
【請求項２】
さらに、前記液晶セルを保持する金属製フレームを備え、
前記金属製フレームは、前記回路基板を固定する固定金具を有し、
前記導電体と前記固定金具との間の直線距離は、前記導電体と前記ドライバとの沿面距離よりも短いことを特徴とする請求項１に記載の画像表示装置。
【請求項３】
さらに、前記表示セルと前記保護シートとを跨ぎ、前記表示セルと前記保護シートとを固定する絶縁性の固定テープを備え、
前記導電体は、前記固定テープ上に配置されたことを特徴とする請求項１に記載の画像表示装置。
【請求項４】
前記導電体は、前記表示セルと前記保護シートとを跨ぎ、前記表示セルと前記保護シートとを固定することを特徴とする請求項１に記載の画像表示装置。
【請求項５】
前記導電体は、前記表示セルの背面側へ折り返されて、前記金属製フレームと接続されたことを特徴とする請求項２に記載の画像表示装置。
【発明の詳細な説明】
【技術分野】
【０００１】
本発明は、画像表示装置に関する。
【背景技術】
【０００２】
従来、画像表示装置の額縁部分や裏面側に配置されるドライバや回路基板などの電子部品や接続部分は、表示セルを保持する金属製のベゼルに覆われており、このベゼルによって電子部品部分の構造が外部から保護されていた。更に、表示セルで発生した静電気がこのベゼルを通して放電されるため、ベゼルは静電気からドライバや回路基板を保護する役割も果たしていた。
【０００３】
近年の画像表示装置の軽量化・薄型化の要求により、金属製のベゼルを省略し、ドライバや回路基板を表示セルの延長線上に、表示セルの長手方向に沿って配置する方法が提案されている。この際、回路部品および回路基板は、プラスチック製の保護シートで覆われ、この保護シートがベゼルの代わりに固定テープで表示セルに留められる方法が採用されている。保護シート及び固定テープは絶縁性であるため、表示セルで発生した静電気は、ドライバや回路基板に放電されることになるので、結果としてドライバや回路基板を損傷してしまうことがあった。
【０００４】
そこで、ドライバと接地端子（グラウンド）を導電性テープで接続するようにした画像表示装置が提案されている（例えば、特許文献１参照）。この画像表示装置においては、静電気が表示セルで生じても、ドライバへ流れる前に導電性テープを伝って接地端子に放電させることができる。
【０００５】
しかしながら、上述の画像表示装置は、導電性テープがドライバと接しているために、静電気がドライバに流れてしまう可能性があり、この場合には、ドライバや回路基板の誤動作や損傷が生じる恐れがある。
【先行技術文献】
【特許文献】
【０００６】
【特許文献１】特開２００６−２３６８７０号公報
【発明の概要】
【発明が解決しようとする課題】
【０００７】
本発明の目的は、表示セルで発生した静電気によるドライバ及び回路基板の誤動作および損傷を防ぐ機構を有する画像表示装置を提供することにある。
【課題を解決するための手段】
【０００８】
この発明に係る画像表示装置は、表示領域及び前記表示領域を囲む額縁部が設けられた表示セルと、前記表示領域に配置された駆動配線に接続され、前記表示領域を駆動するドライバと、前記ドライバを制御する制御回路を搭載し、前記表示セルの一辺に沿って配置された回路基板と、前記ドライバ及び前記回路基板を覆い、前記表示セルに一端が固定された絶縁性の保護シートと、前記保護シート上で前記ドライバと前記表示領域との間に少なくとも一端辺が配置されたテープ状の導電体と、を備え、前記表示セルに発生する静電気を、前記導電体を介して接地電位点に放電させることを特徴とする。
【発明の効果】
【０００９】
本発明は、表示セルで発生した静電気によるドライバ及び回路基板の誤動作及び損傷を防ぐ機構を有する画像表示装置を提供することができる。
【図面の簡単な説明】
【００１０】
【図１】本発明の第１の実施の形態を表す画像表示装置の平面図である。
【図２】図１で表す画像表示装置のＩ−Ｉ線断面図である。
【図３】図１で表す画像表示装置の、一部分解斜視図である。
【図４】図１で表す画像表示装置のＩＩ−ＩＩ線断面図である。
【図５】本発明の第２の実施の形態を表す画像表示装置の平面図である。
【図６】図５で表す画像表示装置のＩＩＩ−ＩＩＩ線断面図である。
【図７】本発明の第３の実施の形態を表す画像表示装置の平面図である。
【図８】図７で表す画像表示装置のＩＶ−ＩＶ線断面図である。
【図９】本発明の第４の実施の形態を表す画像表示装置の表面側を示す平面図である。
【図１０】本発明の第４の実施の形態を表す画像表示装置の裏面側を示す平面図である。
【図１１】図９で表す画像表示装置の一部切欠側面図である。
【発明を実施するための形態】
【００１１】
以下、図面を参照して、本発明をより詳細に説明する。
【００１２】
図１及び図２は、画像表示装置として液晶表示装置を例にとり、本発明の第１の実施の形態を表す画像表示装置の平面図及びＩ―Ｉ線断面図である。表示セル１００として液晶セルを例示するが、プラズマ表示セル、有機エレクトロルミネッセンス（ＥＬ）表示セル、電界放出型表示セルなど他の種類の表示セル１００でも良い。
【００１３】
略矩形平板状の表示セル１００は、アレイ基板１１０及びこのアレイ基板１１０と対向する対向基板１２０と、アレイ基板１１０と対向基板１２０との間に保持された液晶層１０２を有している。アレイ基板１１０と対向基板１２０とは、対向面の周辺部に配置したシール材１０３によって貼り合わせられ、これらによって形成されるギャップに液晶層１０２が保持される。
【００１４】
表示セル１００は、アレイ基板１１０と対向基板１２０との間のシール材１０３によって囲まれた領域の内側に画像を表示する略矩形状の表示領域１０１を有する。表示領域１０１はマトリックス状に配置された複数のピクセルから構成されている。各ピクセルはスィッチングトランジジスタ及び画素電極を備えている。また、表示セル１００は、表示領域１０１を囲む額縁部１０４を備えている。
【００１５】
アレイ基板１１０の外面及び対向基板１２０の外面（すなわち、液晶層１０２と接する面とは反対側の面）には、それぞれ偏光板１１１及び偏光板１２１が設けられている。この偏光板１１１及び偏光板１２１は表示領域１０１に対応して設けられている。
【００１６】
スイッチングトランジスタは、例えばポリシリコン（Ｐ−Ｓｉ）で構成されており、ポリシリコンで構成する場合には、表示セル１００を駆動する走査線駆動用のドライバもアレイ基板１１０上の額縁部１０４に一体的に造り込まれ、信号線駆動用のドライバは、後述する外付けドライバとして形成される。このため表示領域１０１を駆動する外付けドライバ等は表示セル１００の額縁部１０４の一辺側のみに配置することが可能となり、狭額縁化に適する構成とすることができる。但し、狭額縁化の恩恵を受けることはできないが、走査線駆動用のドライバを表示セル１００の短辺側の額縁部１０４に信号線駆動用のドライバと同様にして外付け配置することも可能である。
【００１７】
図３は、図１で表す画像表示装置の一部分解斜視図であり、図４は、ＩＩ−ＩＩ線断面図である。図３及び図４に示すように、照明ユニット２００は、表示セル１００の背面側、つまり、アレイ基板１１０の外面側に配置されている。略長方形で平板状の回路基板３３０は、照明ユニット２００の側面２００Ａに沿って表示セル１００の平面と平行に配置されている。回路基板３３０の第１主面３３０Ｓ１には、抵抗やコンデンサ等の回路部品３４０が配置されている。回路基板３３０の第２主面３３０Ｓ２には、フレキシブル配線基板３２０が接続されている。回路基板３３０は、フレキシブル配線基板３２０を介してアレイ基板１１０に接続される。フレキシブル配線基板３２０上には、ドライバ３１０が配置されている。
【００１８】
ドライバ３１０は、表示セル１００、すなわち表示領域１０１の駆動配線に電気的に接続され、回路基板３３０に配置された回路部品３４０と共に表示セル１００を駆動する。回路基板３３０に搭載された制御回路にてドライバ３１０を制御する。そして、この回路基板３３０の第１主面３３０Ｓ１、第２主面３３０Ｓ２及びドライバ３１０を含むフレキシブル配線基板３２０は、プラスチック製の第１保護シート４１０ａ、第２保護シート４１０ｂによって覆われている。
【００１９】
アレイ基板１１０の外面側に設けられた照明ユニット２００は、略矩形平板状であり、表示領域１０１よりも広い面積でアレイ基板１１０と対向する。この実施の形態においては、照明ユニット２００の光源として、発光ダイオード（Light Emitting Diode：ＬＥＤ）を用いる。
【００２０】
これら表示セル１００は、照明ユニット２００の背面に配置された略矩形状のプラスチック製平板１３１と、このプラスチック製平板１３１の外縁に沿って断面Ｌ字状で且つロ字状の枠体として形成された金属製フレーム１３０とによって保持されている。
【００２１】
表示セル１００と照明ユニット２００は、相互に両面接着テープ等によって固定されている。照明ユニット２００は、プラスチック製平板１３１もしくは金属製フレーム１３０上に両面接着テープ等によって固定されている。このプラスチック製平板１３１は、金属製フレーム１３０に固定されている。この金属製フレーム１３０と第２保護シート４１０ｂとは、絶縁性の第２固定テープ４２０ｂによって留められる。
【００２２】
フレキシブル配線基板３２０の一端３２０Ａは、表示セル１００の額縁部１０４に形成された表示領域１０１の各種駆動配線に接続されるバンプ（端子）３６０に異方導電性接着剤により接続される。またドライバ３１０は、フレキシブル配線基板３２０に回路基板３３０に面するように配置されている。つまり、ドライバ３１０がフレキシブル配線基板３２０に設けられたＣＯＦ（Chip On Film）法が採用されている。そしてフレキシブル配線基板３２０の他端３２０Ｂは、回路基板３３０を巻き込むように照明ユニット２００に向かって折り返されて、回路基板３３０に接続される。
【００２３】
この回路基板３３０は、一辺が長く、一辺が短い帯状である。回路基板３３０は、長い一辺が照明ユニット２００の側面２００Ａに沿うように配置されている。この回路基板３３０は、第１主面３３０Ｓ１において両端に基準電位点である接地端子ＧＮＤを有している。図１において、この回路基板３３０の長い辺と平行な方向を横方向Ｘ、これと垂直な短い辺に平行な方向を縦方向Ｙとする。なお、この回路基板３３０の横方向Ｘの辺の長さは、これと接する表示セル１００の横方向Ｘの一辺よりも短い。具体的なこの回路基板３３０の大きさは、表示セル１００によって様々である。
【００２４】
この実施の形態においては、回路基板３３０の縦方向Ｙの辺の長さを８ｍｍ、横方向Ｘの辺の長さを２０ｃｍとし、表示セル１００の横方向Ｘの辺の長さを２５ｃｍとする。また、ドライバ３１０は、縦方向Ｙの辺の長さが３ｍｍ、横方向Ｘの辺の長さが１０ｍｍの板状とする。フレキシブル配線基板３２０は、およそ横方向Ｘの幅を４８ｍｍとする。
【００２５】
ドライバ３１０は、１つ若しくは複数設けられている場合がある。ドライバ３１０を複数設ける場合には、夫々のドライバ３１０に対応して夫々のフレキシブル配線基板３２０上にドライバ３１０を搭載し、この複数のフレキシブル配線基板３２０を回路基板３３０の横方向Ｘに並設される。この実施の形態においては、フレキシブル配線基板３２０の横幅の中央の位置に１つ設けられる。
【００２６】
なお、各図に示されたこれら構成部品は、夫々の相関関係を分かり易く強調して図示しているもので、必ずしもこれら寸法通りには対応していない。
【００２７】
回路基板３３０は、金属製フレーム１３０の端部に設けられた固定金具３５０により、ビス３７０等を使用して金属製フレーム１３０に固定されている。この固定金具３５０は、回路基板３３０の第２主面３３０Ｓ２側に配置されている。固定金具３５０、回路基板３３０、接地端子ＧＮＤには、それぞれ穴部が設けられている。固定金具３５０、回路基板３３０、接地端子ＧＮＤは、それぞれの穴部が重なるように配置されている。ビス３７０の上部は、穴部より大きく形成されている。ビス３７０は、穴部に螺合され、ビス３７０の上部が接地端子ＧＮＤに接するように配置されている。
【００２８】
ビス３７０の固定は、穴部内部に形成したネジ溝に螺合させるように構成しても良いが、ビス３７０をセルフタッピングネジ形態として、ビス３７０によって穴部に直接ネジ溝を切りながら螺合させる構成の方が効率的であり、薄型の部材には特に好適である。
【００２９】
この固定金具３５０は、この実施の形態では、金属製フレーム１３０の端部に２箇所設けられ、金属製フレーム１３０と一体に形成されている。材料としてはアルミニウム製、銅製など導電性のものであれば良いが、この実施の形態において、固定金具３５０は、アルミニウム製のものとする。したがって、金属製フレーム１３０は、固定金具３５０およびビス３７０を介して、回路基板３３０の両端に設けられた接地端子ＧＮＤに接続される。
【００３０】
これらドライバ３１０、フレキシブル配線基板３２０、回路基板３３０及び回路部品３４０は、回路基板３３０の第１主面３３０Ｓ１及び第２主面３３０Ｓ２側からそれぞれ略矩形状のプラスチック製の第１保護シート４１０ａ、第２保護シート４１０ｂによって覆われる。つまり２枚の第１保護シート４１０ａ、第２保護シート４１０ｂが、それぞれドライバ３１０が配置されたフレキシブル配線基板３２０を含む回路基板３３０の第１主面３３０Ｓ１及び第２主面３３０Ｓ２を覆う。第１保護シート４１０ａは、回路基板３３０の第１主面３３０Ｓ１側を覆っている。第２保護シート４１０ｂは、回路基板３３０の第２主面３３０Ｓ２側を覆っている。
【００３１】
第１保護シート４１０ａ、第２保護シート４１０ｂは、絶縁性で、ＰＥＴ（ポリエチレンテレフタレート）などによって作られている。第１保護シート４１０ａ、第２保護シート４１０ｂの厚さは、およそ４０〜５０μｍである。また、第１保護シート４１０ａ、第２保護シート４１０ｂは、回路基板３３０を覆うことができる大きさであればよく、この実施の形態においては、回路基板３３０の大きさに合わせて、横方向Ｘの長さが２０ｃｍ、縦方向Ｙの長さを８ｍｍとする。
【００３２】
但し、この実施の形態においては、第１保護シート４１０ａは、アレイ基板１１０のバンプ３６０にフレキシブル配線基板３２０の一端が接続されているため、バンプ３６０とフレキシブル配線基板３２０との接続部分まで覆うように、第２保護シート４１０ｂよりも大きく形成されている。第１保護シート４１０ａ、第２保護シート４１０ｂは、第１保護シート４１０ａ、第２保護シート４１０ｂから固定金具３５０の少なくとも一部が露出するように配置されている。
【００３３】
回路基板３３０の第１主面３３０Ｓ１を覆う第１保護シート４１０ａの一端部は、表示セル１００の額縁部１０４、つまり、対向基板１２０の外縁部に接するように配置されている。そして、第１保護シート４１０ａは、フレキシブル配線基板３２０の一端３２０Ａを覆いつつ、額縁部１０４において対向基板１２０と共に、絶縁性の第１固定テープ４２０ａにより固定される。一方、回路基板３３０の第２主面３３０Ｓ２を覆う第２保護シート４１０ｂの一端部は、上述のように照明ユニット２００の背面の１辺側に位置している。そして、第２保護シート４１０ｂは、プラスチック製平板１３１もしくは金属製フレーム１３０の外縁部に接するように配置され、絶縁性の第２固定テープ４２０ｂにより、照明ユニット２００の横方向Ｘの辺に沿って金属製フレーム１３０に留められる。
【００３４】
第１固定テープ４２０ａ及び第２固定テープ４２０ｂは、それぞれ略矩形平板状である。また、第１保護シート４１０ａを対向基板１２０に留める絶縁性の第１固定テープ４２０ａの対向基板１２０の辺に沿った横方向Ｘの辺の長さは、第１保護シート４１０ａの横方向Ｘの辺の長さにあわせて、例えば２０ｃｍとし、第１固定テープ４２０ａの縦方向Ｙの幅は、対向基板１２０と保護シート４１０ａに跨るように５ｍｍとする。第２保護シート４１０ｂを照明ユニット２００に留める絶縁性の第２固定テープ４２０ｂの照明ユニット２００の辺に沿った横方向Ｘの長さ、及び第２固定テープ４２０ｂの縦方向Ｙの幅も絶縁性の第２固定テープ４２０ａと同じとする。この絶縁性の第２固定テープ４２０ｂの横方向Ｘの長さは、金属製フレーム１３０の固定金具３５０の一部が外部に露出するように、全てを覆い隠さないようにする。保護シート４１０ａ、４１０ｂは、従来から使われている金属製のベゼルよりも薄くて軽いため、画像表示装置の薄型化や軽量化に貢献する。
【００３５】
そして、この実施の形態においては、第１保護シート４１０ａと表示セル１００を留めている絶縁性の第１固定テープ４２０ａ上に、第１保護シート４１０ａの一側端部に沿って直線状に導電体５１０が配置されている。アルミニウム製の導電体５１０を両面テープもしくは接着剤で第１固定テープ４２０の上に貼り付けられている。導電体５１０の材料は、アルミニウム製以外に銅製など他のものを使用しても良い。
【００３６】
図１に示すように、導電体５１０は、略矩形状であり、横方向Ｘに延出した第１端辺Ｌ１および第２端辺Ｌ２、縦方向Ｙに延出した第３端辺Ｌ３および第４端辺Ｌ４を有している。この導電体５１０の縦方向Ｙの幅は１ｍｍ程度とする。また、第１保護シート４１０ａが留められる表示セル１００の１辺に沿った横方向Ｘの長さは、この導電体５１０の先端部（第３端辺Ｌ３および第４端辺Ｌ４の近傍部分）と金属製フレーム１３０の固定金具３５０との直線距離が３ｍｍ以内となる長さにする。
【００３７】
換言すれば、導電体５１０の表示セル１００側に位置する第１端辺Ｌ１が、表示セル１００の額縁部１０４上に位置し、ドライバ３１０側に位置する第２端辺Ｌ２が、表示領域１０１とドライバ３１０との間に位置する。さらに、導電体５１０とドライバ３１０との沿面距離よりも、導電体５１０と金属製フレーム１３０の固定金具３５０との間の直線距離の方が短く、且つ、表示セル１００に帯電した帯電電荷が、導電体５１０を介して固定金具３５０との間で放電し得る距離となるように設定されれば差し支えない。この実施の形態においては、導電体５１０と金属製フレーム１３０の固定金具３５０との間の直線距離が３ｍｍであって、この距離よりも短く設定することも可能なことは言うまでもない。
【００３８】
このことから、この実施の形態では、固定金具３５０の一部が、第１保護シート４１０ａ、第２保護シート４１０ｂから露出するように構成したが、第１保護シート４１０ａ、第２保護シート４１０ｂによって固定金具３５０を覆った場合でも、固定金具３５０と導電体５１０との沿面距離が、導電体５１０とドライバ３１０との沿面距離よりも短い場合には、導電体５１０と固定金具３５０側で放電させることが可能である。
【００３９】
導電体５１０は、第１固定テープ４２０ａ上で表示領域１０１側、あるいは第１保護シート４１０ａ側のいずれかに偏って配置することも可能である。但し、表示セル１００及び回路基板３３０を包囲するシールドケース内にこれらを収納した際には、表示セル１００の額縁部１０４を覗き込んでも見栄えが良いように、導電体５１０を表示領域１０１に近づけすぎないようにする。
【００４０】
このようにして、ベゼルを有しない画像表示装置において、表示セル１００の表示領域１０１内で発生する静電気を、この導電体５１０を通して、回路基板３３０に設けられた接地端子ＧＮＤに、固定金具３５０を介して放電させることができる。静電気は、発生した箇所から最も近い距離にある抵抗の小さい導電体５１０へ流れようとする性質を持つ。従って、絶縁性の固定テープ４２０ａの上に導電体５１０を設けることで、表示領域１０１内で発生した静電気は、保護シート４１０ａの内側にあるドライバ３１０や回路基板３３０よりも近い位置にある導電体５１０に流れることになる。そして静電気は、ドライバ３１０や回路基板３３０と導電体５１０との沿面距離よりも、導電体５１０から空中を通して直線距離で最も近い距離にある金属製フレーム１３０の固定金具３５０に空中放電して流れるので、ドライバ３１０や回路基板３３０に静電気が流れない。よって表示領域１０１で発生した静電気によって、ドライバ３１０や回路基板３３０上の回路を、誤動作させたり、損傷させたりしない。
【００４１】
ここで、固定テープ４２０ａの接着不良によって、第１固定テープ４２０ａと第１保護シート４１０ａとの間に空気が入って浮いた状態にあったとしても、導電体５１０のドライバ３１０側の第２端辺Ｌ２を表示領域１０１とドライバ３１０との間に位置させつつ、導電体５１０と固定金具３５０との間の直線距離を導電体５１０とドライバ３１０との間、もしくは導電体５１０とフレキシブル配線基板３２０の一端３２０Ａとの間の沿面距離よりも短く設定することにより、静電気は、導電体５１０を介して、第１固定テープ４２０ａの浮いた隙間からドライバ３１０や回路基板３３０へは流れずに、導電体５１０とより近い距離にある固定金具３５０側に空中放電して流れることになり、ドライバ３１０や回路基板３３０の保護及び誤動作を防止することが可能となる。
【００４２】
この実施の形態によると、導電体５１０は、ドライバ３１０や回路基板３３０よりも固定金具３５０と近い距離にあれば、固定金具３５０に直接接続される必要がないので、固定金具３５０に直接接続するよりも、導電体５１０を設ける作業が簡単で、作業効率の改善を図ることができる。さらに、導電体５１０の形状も、直線状で差し支えないので、簡単な構成とすることができ、材料費の削減を図ることができる。
【００４３】
なお、この実施の形態の場合には、導電体５１０の先端部と固定金具３５０との間で放電を行わせるように構成しているが、この導電体５１０の先端部が、固定金具３５０の位置を通り過ぎるように長く構成し、先端部ではなく、この長い導電体５１０の側端部（第２端辺Ｌ２の近傍部分）と固定金具３５０との間で放電させるように構成することも可能である。要は、導電体５１０と固定金具３５０との最短距離を、ドライバ３１０と表示領域１０１との沿面距離の長さよりも短くなるように構成し、この最短距離の部分にて放電をさせるように構成すればよい。
【００４４】
図５は、本発明の第２の実施の形態を表す画像表示装置の平面図である。また、図６は、図５に示す画像表示装置のＩＩＩ−ＩＩＩ線断面図である。表示セル１００及び照明ユニット２００の構造は、第１の実施の形態と同じなので、同じ部分の説明は省略する。
【００４５】
第２の実施の形態では、ドライバ３１０が配置された位置が第１の実施の形態と異なる。この実施の形態においては、アレイ基板１１０上にドライバが設けられたＣＯＧ（Chip On Glass）法が採用される。表示セル１００のアレイ基板１１０は、横方向Ｘの長さが対向基板１２０の横方向Ｘの長さと同じであるが、縦方向Ｙの長さが対向基板１２０よりも長い。そして、この対向基板１２０に対してはみ出したアレイ基板１１０の一部に設けられた表示領域１０１の各種駆動配線に接続された端子（バンプ）に、ドライバ３１０が直付けされる。このドライバ３１０は、直方体状で、その長い辺をアレイ基板１１０の横方向Ｘの辺に平行にして設けられる。そしてドライバ３１０は、回路部品３４０が接続配置された回路基板３３０とフレキシブル配線基板３２０により接続される。
【００４６】
略矩形の第１保護シート４１０ａは、フレキシブル配線基板３２０およびアレイ基板１１０上に配置されたドライバ３１０も覆う必要があるので、ドライバ３１０の外表面上まで延長され、第１保護シート４１０ａの端縁は、対向基板１２０の側面に当接されている。そして、この第１保護シート４１０ａを、絶縁性の第１固定テープ４２０ａで額縁部１０４上の対向基板１２０と共に留める。
【００４７】
絶縁性の第１固定テープ４２０ａの上には、第１の実施の形態と同様に、第１保護シート４１０ａの一端部に沿って導電体５１０が設けられる。但し、この実施の形態においては、導電体５１０の縦方向Ｙの幅は４ｍｍとする。ドライバ３１０を絶縁性の第１固定テープ４２０ａで覆うようにして設ける。また、この導電体５１０の横方向Ｘの長さは、導電体５１０の先端部が回路基板３３０の固定金具３５０と３ｍｍ以内の距離になるようにする。
【００４８】
第１の実施の形態よりも、導電体５１０の縦方向Ｙの幅を１ｍｍから４ｍｍへと広くしたことにより、表示領域１０１からこの導電体５１０までの距離を、表示領域１０１からドライバ３１０までの距離よりも近い位置に、且つ、回路基板３３０の固定金具３５０と３ｍｍ以内の距離に配置することができる。ドライバ３１０を、アレイ基板１１０の端子部分に直付けしたＣＯＧ方式においても、導電体５１０を表示領域１０１に近接配置することが可能となり、ドライバ３１０よりも導電体５１０を表示領域１０１に近づけると、表示領域１０１で生じた静電気を、ドライバ３１０ではなく導電体５１０に流すことができる。
【００４９】
この実施の形態においては、額縁部１０４にドライバ３１０が配置されているため、絶縁性の第１固定テープ４２０ａと第１保護シート４１０ａ、あるいは絶縁性の第１固定テープ４２０ａと表示セル１００との間に接着不良に伴って空気が入ると、表示領域１０１で生じた静電気が、導電体５１０ではなく、ドライバ３１０に直接放電されてしまう恐れがある。よって絶縁性の第１固定テープ４２０ａと第１保護シート４１０ａとの間、あるいは絶縁性の第１固定テープ４２０ａと表示セル１００との間に、空気が入らないように注意する必要がある。
【００５０】
しかしながら、この実施の形態のように、導電体５１０の縦方向Ｙの幅を広く形成することによって、表示領域１０１と導電体５１０とを近接配置しているので、表示セル１００に帯電した電荷は、より直線距離、もしくは沿面距離が短い導電体５１０に一義的に流すことが可能となり、この導電体５１０と固定金具３５０との距離を、表示領域１０１とドライバ３１０との距離よりも短くなるように構成することで、導電体５１０と固定金具３５０との間で放電させることが可能となり、例え空気の存在部分が生じたとしても、何等影響を受けないように構成することができる。
【００５１】
このように、ＣＯＧ法を用いた画像表示装置においても、表示領域１０１からドライバ３１０までの距離よりも、表示領域１０１から導電体５１０までの距離を短くすることで、表示領域１０１で生じた静電気をドライバ３１０に流さずに、導電体５１０を介して金属製フレーム１３０の固定金具３５０に放電することができる。
【００５２】
したがって、第２の実施の形態においても、第１の実施の形態と同様に、表示領域１０１で発生した静電気によって、ドライバ３１０や回路基板３３０の誤動作や損傷を防ぐことが可能となる。
【００５３】
なお、図５において、ドライバ３１０の位置を点線で示しているが、これは導電体５１０及び絶縁性の固定テープ４２０ａの紙面裏側に隠れていることを表している。
【００５４】
図７は、本発明の第３の実施の形態を表す表示装置の平面図である。また、図８は、図７で表す表示装置のＩＶ−ＩＶ線断面拡大図である。表示セル１００及び照明ユニット２００の構造は、第１の実施の形態と同じなので、同じ部分の説明は省略する。第３の実施の形態では、第１固定テープ４２０ａを備えていない点、導電体５１０の構成が第１の実施の形態と異なる。
【００５５】
この実施の形態においては、導電体５１０は、表示セル１００と第１保護シート４１０ａとを跨ぎ、表示セル１００と第１保護シート４１０ａとを固定する導電性の固定テープである。導電体５１０の材料としては、アルミニウムや銅などがあり、ここではアルミニウム製の導電性の固定テープを使用する。なお、この実施の形態において、第２保護シート４１０ｂと照明ユニット２００とを留める第２固定テープ４２０は、導電体５１０と同種の導電性の固定テープを使用してもよいが、材料費削減の観点等から、第１の実施の形態と同様に絶縁性の固定テープを使用してもよい。
【００５６】
導電体５１０の大きさは、例えば縦方向Ｙの幅を５ｍｍとし、第１保護シート４１０ａが留められる表示セル１００の１辺に沿った横方向Ｘの長さを、回路基板３３０の横方向Ｘの長さと同じ２０ｃｍとする。このとき、金属製フレーム１３０の固定金具３５０は、回路基板３３０の下側に設けられているので、導電体５１０と近接しているが、接触していない。
【００５７】
なお、この実施の形態においても、固定金具３５０は、回路基板３３０の接地（ＧＮＤ）端子に接続されている。
【００５８】
このような画像表示装置の表示セル１００の表示領域１０１内で静電気が発生すると、静電気は、導電体５１０に流れた後、金属製フレーム１３０の固定金具３５０に放電する。この実施の形態においても、表示領域１０１内の静電気が発生した箇所から、ドライバ３１０や回路基板３３０までの沿面距離よりも、導電体５１０までの直線距離の方が近いために、静電気は、導電体５１０に流れるので、ドライバ３１０や回路基板３３０を損傷しない。
【００５９】
したがって、第３の実施の形態においても、第１の実施の形態と同様に、表示領域１０１で発生した静電気によって、ドライバ３１０や回路基板３３０の誤動作や損傷を防ぐことが可能となる。
【００６０】
図９及び図１０は、本発明の第４の実施の形態を表す画像表示装置の表面側、及び裏面側を夫々示す平面図である。また、図１１は、図９で示す画像表示装置の一部切欠側面図である。表示セル１００及び照明ユニット２００の構造は、第１の実施の形態と同じなので、同じ部分の説明は省略する。第４の実施の形態では、導電体５１０の構成が第３の実施の形態と異なる。
【００６１】
この実施の形態においても、導電体５１０は、表示セル１００と第１保護シート４１０ａとを跨ぎ、表示セル１００と第１保護シート４１０ａとを固定する導電性の固定テープである。なお、この実施の形態において、表示セル１００の額縁部１０４に第２保護シート４１０ｂを留める第２固定テープ４２０ｂは、絶縁性の固定テープである。
【００６２】
導電体５１０は、第３の実施の形態と同様に配置されるが、第３の実施の形態との相違は、この導電体５１０の横方向Ｘの長さを、図９に示すように、回路基板３３０の横方向Ｘの長さと同じにすることなく、保護シート４１０ａが接する表示セル１００の１辺の横方向Ｘの長さよりも長く形成して、導電体５１０の両端を、図１０に示すように、表示セル１００の背面側に折り返されて、金属製フレーム１３０と接するように直接接着されている点にある。
【００６３】
このように構成することにより、表示装置の表示セル１００の表示領域１０１内において静電気が発生すると、表示領域１０１内の静電気が発生したところから最も近い距離にある導電体５１０に静電気は流れる。そして導電体５１０の両端の接続を通して、回路基板３３０の接地端子ＧＮＤに接続されている金属製フレーム１３０に放電される。
【００６４】
また、パーソナルコンピュータや車載モニタ等の最終製品に本発明に係る画像表示装置を組み込む際に、この画像表示装置を当該最終製品の接地電位点に接続されているシャーシ等にビス止めされる等して、これらシャーシ等に金属製フレームが電気的に接続される場合には、必ずしも回路基板３３０の接地端子ＧＮＤを介して接地電位点に接続する必要はない。
【００６５】
したがって、第４の実施の形態においても、第１の実施の形態と同様に、表示領域１０１で発生した静電気によって、ドライバ３１０や回路基板３３０の誤動作や損傷を防ぐことが可能となる。さらに、導電体５１０が直接、金属製フレーム１３０に接続されているため、より確実な放電が行われる。さらに、導電体５１０を設ける作業が簡単となる。
【符号の説明】
【００６６】
１００…表示セル
１０１…表示領域
１０４…額縁部
３１０…ドライバ
３３０…回路基板
３４０…回路部品
３５０…固定金具
４１０ａ…第１保護シート
４１０ｂ…第２保護シート
４２０ａ…第１固定テープ
４２０ｂ…第２固定テープ
５１０…導電体
ＧＮＤ…接地端子（基準電位点）
【図１】
2010164946.tif 000003
【図２】
2010164946.tif 000004
【図３】
2010164946.tif 000005
【図４】
2010164946.tif 000006
【図５】
2010164946.tif 000007
【図６】
2010164946.tif 000008
【図７】
2010164946.tif 000009
【図８】
2010164946.tif 000010
【図９】
2010164946.tif 000011
【図１０】
2010164946.tif 000012
【図１１】
2010164946.tif 000013